(57)【特許請求の範囲】
【請求項１】
周波数が直交する複数のサブキャリアによって構成されるＯＦＤＭ信号を送信するＯＦＤＭ信号送信装置であって、
前記ＯＦＤＭ信号に含まれ、振幅値が他の部分と比較して高いピーク部分を検出し、検出した結果に基づいてピーク低減に用いる前記サブキャリアの領域を選択するピーク低減用サブキャリア選択部と、
選択された前記サブキャリアの領域ごとに、前記ピーク部分を低減するピーク低減信号を生成し、生成した前記ピーク低減信号を用いて前記ピーク部分が低減されたＯＦＤＭ信号を生成するピーク低減処理部と
を備え、
前記ピーク低減用サブキャリア選択部は、
前記サブキャリアの信号の逆フーリエ変換を実行する逆フーリエ変換部と、
前記逆フーリエ変換部から出力されたＯＦＤＭ信号に含まれるピーク部分を検出する第１ピーク検出部と、
前記第１ピーク検出部によって検出された前記ピーク部分に対してフーリエ変換を実行することによって、前記ピーク低減信号を生成するフーリエ変換部と、
前記フーリエ変換部によって生成された前記ピーク低減信号のうち、電力値が所定の閾値を超えるピーク低減信号のサブキャリア位置を選択するサブキャリア選択部と、
前記サブキャリア選択部が選択したサブキャリアの信号を除去する信号系列除去部と
を有するＯＦＤＭ信号送信装置。
【請求項２】
前記ピーク低減処理部は、隣接する複数のサブキャリアによって構成されるサブキャリアグループを単位として、前記ピーク部分が低減されたＯＦＤＭ信号を生成する請求項１に記載のＯＦＤＭ信号送信装置。
【請求項３】
前記ピーク低減処理部は、
前記サブキャリアの信号の逆フーリエ変換を実行する逆フーリエ変換部と、
前記逆フーリエ変換部から出力されたＯＦＤＭ信号に含まれるピーク部分を検出する第２ピーク検出部と、
前記第２ピーク検出部によって検出された前記ピーク部分に対してフーリエ変換を実行することによって、前記ピーク低減信号を生成するフーリエ変換部と、
前記フーリエ変換部によって生成された前記ピーク低減信号のうち、前記ピーク低減用サブキャリア選択部で選択されたサブキャリアの領域における前記ピーク低減信号以外をフィルタリングするフィルタ部と、
前記サブキャリアの信号から前記フィルタ部の出力信号を減算する信号減算部と
を有する請求項１または２に記載のＯＦＤＭ信号送信装置。
【請求項４】
周波数が直交する複数のサブキャリアによって構成されるＯＦＤＭ信号の処理を実行する信号処理チップであって、
前記ＯＦＤＭ信号に含まれ、振幅値が他の部分と比較して高いピーク部分を検出し、検出した結果に基づいてピーク低減に用いる前記サブキャリアの領域を選択するピーク低減用サブキャリア選択部と、
選択された前記サブキャリアの領域ごとに、前記ピーク部分を低減するピーク低減信号を生成し、生成した前記ピーク低減信号を用いて前記ピーク部分が低減されたＯＦＤＭ信号を生成するピーク低減処理部と
を備え、
前記ピーク低減用サブキャリア選択部は、
前記サブキャリアの信号の逆フーリエ変換を実行する逆フーリエ変換部と、
前記逆フーリエ変換部から出力されたＯＦＤＭ信号に含まれるピーク部分を検出する第１ピーク検出部と、
前記第１ピーク検出部によって検出された前記ピーク部分に対してフーリエ変換を実行することによって、前記ピーク低減信号を生成するフーリエ変換部と、
前記フーリエ変換部によって生成された前記ピーク低減信号のうち、電力値が所定の閾値を超えるピーク低減信号のサブキャリア位置を選択するサブキャリア選択部と、
前記サブキャリア選択部が選択したサブキャリアの信号を除去する信号系列除去部と
を有する信号処理チップ。
【請求項５】
周波数が直交する複数のサブキャリアによって構成されるＯＦＤＭ信号を送信するＯＦＤＭ信号送信方法であって、
前記ＯＦＤＭ信号に含まれ、振幅値が他の部分と比較して高いピーク部分を検出し、検出した結果に基づいてピーク低減に用いる前記サブキャリアの領域を選択するステップと、
選択された前記サブキャリアの領域ごとに、前記ピーク部分を低減するピーク低減信号を生成し、生成した前記ピーク低減信号を用いて前記ピーク部分が低減されたＯＦＤＭ信号を生成するステップと
を備え、
前記選択するステップでは、
前記サブキャリアの信号の逆フーリエ変換を実行する逆フーリエ変換ステップと、
前記逆フーリエ変換ステップにおいて出力されたＯＦＤＭ信号に含まれるピーク部分を検出する第１ピーク検出ステップと、
前記第１ピーク検出ステップによって検出された前記ピーク部分に対してフーリエ変換を実行することによって、前記ピーク低減信号を生成するフーリエ変換ステップと、
前記フーリエ変換ステップによって生成された前記ピーク低減信号のうち、電力値が所定の閾値を超えるピーク低減信号のサブキャリア位置を選択するサブキャリア選択ステップと、
前記サブキャリア選択ステップにおいて選択されたサブキャリアの信号を除去する信号系列除去ステップと
を有するＯＦＤＭ信号送信方法。
【発明の詳細な説明】
【技術分野】
【０００１】
本発明は、周波数が直交する複数のサブキャリアによって構成されるＯＦＤＭ信号を送信または処理するＯＦＤＭ信号送信装置、信号処理チップ及びＯＦＤＭ信号送信方法に関する。
【背景技術】
【０００２】
直交周波数分割多重（ＯＦＤＭ）が用いられる無線通信システムでは、送信アンプの特性などに起因して、送信されるＯＦＤＭ信号に含まれるサブキャリアの振幅値の平均と比較して非常に大きな振幅値を有するピーク部分が現れる問題、すなわち、ピーク電力対平均電力比（ＰＡＰＲ）が高くなる問題が発生することが知られている。
【０００３】
このようなＰＡＰＲが高くなる問題を解決するため、パイロット信号系列やデータ信号系列などの信号系列を伝送するために用いられる通常のＯＦＤＭ信号に、ピーク部分を低減する信号を加える方法が提案されている（例えば、特許文献１）。
【０００４】
このようにピーク部分を低減する信号をＯＦＤＭ信号に加える方法では、主にデータ信号系列の伝送などに用いられていないサブキャリアを対象として、ピーク部分を低減する信号が加えられる。つまり、ピーク部分を低減する信号が加えられる周波数軸上の領域は、固定されている。
【特許文献１】特開２００６−１３５４１７号公報（第１０−１１頁、第６図）
【発明の開示】
【発明が解決しようとする課題】
【０００５】
上述した従来の方法では、ピーク部分を低減する信号が加えられる周波数軸上の領域が固定されているが、ピーク部分がより大きな値となる位置は、パイロット信号系列やデータ信号系列などの信号系列の構成によって異なる。
【０００６】
このため、ピーク部分を低減する効果は、ピーク部分がより大きな値となる位置、つまり、ピーク部分の低減効果が大きいサブキャリアの位置によって変動するといった問題がある。
【０００７】
そこで、本発明は、このような状況に鑑みてなされたものであり、ピーク部分の低減効果が大きいサブキャリアの位置にかかわらず、ピーク部分を効果的に低減することができるＯＦＤＭ信号送信装置、信号処理チップ及びＯＦＤＭ信号送信方法を提供することを目的とする。
【課題を解決するための手段】
【０００８】
上述した問題を解決するため、本発明は、次のような特徴を有している。まず、本発明の第１の特徴は、周波数が直交する複数のサブキャリアによって構成されるＯＦＤＭ信号を送信するＯＦＤＭ信号送信装置（例えば、ＯＦＤＭ信号送信装置１００）であって、前記ＯＦＤＭ信号に含まれ、振幅値が他の部分と比較して高いピーク部分を検出し、検出した結果に基づいてピーク低減に用いる前記サブキャリアの領域を選択するピーク低減用サブキャリア選択部（ピーク低減用サブキャリア選択部１２０）と、選択された前記サブキャリアの領域ごとに、前記ピーク部分を低減するピーク低減信号を生成し、生成した前記ピーク低減信号を用いて前記ピーク部分が低減されたＯＦＤＭ信号を生成するピーク低減処理部（ピーク低減処理部１３０，ＯＦＤＭ信号出力部１４０）とを備えることを要旨とする。
【０００９】
このようなＯＦＤＭ信号送信装置によれば、送信される信号系列の構成によってピーク部分が現れる位置が異なる場合でも、信号系列の送信に用いないサブキャリアの領域が適宜選択される。さらに、選択されたサブキャリアの領域ごとに、ピーク低減信号を用いてピーク部分が低減されたＯＦＤＭ信号が生成される。
【００１０】
このため、ピーク部分の低減の対象となるサブキャリアの位置にかかわらず、ピーク部分を効果的に低減することができる。
【００１１】
本発明の第２の特徴は、本発明の第１の特徴に係り、前記ピーク低減処理部は、隣接する複数のサブキャリアによって構成されるサブキャリアグループを単位として、前記ピーク部分が低減されたＯＦＤＭ信号を生成することを要旨とする。
【００１２】
本発明の第３の特徴は、本発明の第１または第２の特徴に係り、前記ピーク低減用サブキャリア選択部は、前記サブキャリアの信号の逆フーリエ変換を実行する逆フーリエ変換部（ＩＦＦＴ部１３１）と、前記逆フーリエ変換部から出力されたＯＦＤＭ信号に含まれるピーク部分を検出する第１ピーク検出部（ピーク検出部１２３）と、前記第１ピーク検出部によって検出された前記ピーク部分に対してフーリエ変換を実行することによって、前記ピーク低減信号を生成するフーリエ変換部（ＦＦＴ部１２５）と、前記フーリエ変換部によって生成された前記ピーク低減信号のうち、電力値が所定の閾値を超えるピーク低減信号のサブキャリア位置を選択するサブキャリア選択部（サブキャリア選択部１２７）と、前記サブキャリア選択部が選択したサブキャリアの信号を除去する信号系列除去部（信号系列除去部１２９）とを有することを要旨とする。
【００１３】
本発明の第４の特徴は、本発明の第１乃至第３の特徴に係り、前記ピーク低減処理部は、前記サブキャリアの信号の逆フーリエ変換を実行する逆フーリエ変換部（ＩＦＦＴ部１３１）と、前記逆フーリエ変換部から出力されたＯＦＤＭ信号に含まれるピーク部分を検出する第２ピーク検出部（ピーク検出部１３３）と、前記第２ピーク検出部によって検出された前記ピーク部分に対してフーリエ変換を実行することによって、前記ピーク低減信号を生成するフーリエ変換部（ＦＦＴ部１３５）と、前記フーリエ変換部によって生成された前記ピーク低減信号のうち、前記ピーク低減用サブキャリア選択部で選択されたサブキャリアの領域における前記ピーク低減信号以外をフィルタリングするフィルタ部（フィルタ部１３７）と、前記サブキャリアの信号から前記フィルタ部の出力信号を減算する信号減算部（信号減算部１３９）とを有することを要旨とする。
【００１４】
本発明の第５の特徴は、周波数が直交する複数のサブキャリアによって構成されるＯＦＤＭ信号の処理を実行する信号処理チップであって、前記ＯＦＤＭ信号に含まれ、振幅値が他の部分と比較して高いピーク部分を検出し、検出した結果に基づいてピーク低減に用いる前記サブキャリアの領域を選択するピーク低減用サブキャリア選択部と、選択された前記サブキャリアの領域ごとに、前記ピーク部分を低減するピーク低減信号を生成し、生成した前記ピーク低減信号を用いて前記ピーク部分が低減されたＯＦＤＭ信号を生成するピーク低減処理部とを備えることを要旨とする。
【００１５】
本発明の第６の特徴は、周波数が直交する複数のサブキャリアによって構成されるＯＦＤＭ信号を送信するＯＦＤＭ信号送信方法であって、前記ＯＦＤＭ信号に含まれ、振幅値が他の部分と比較して高いピーク部分を検出し、検出した結果に基づいてピーク低減に用いる前記サブキャリアの領域を選択するステップと、
選択された前記サブキャリアの領域ごとに、前記ピーク部分を低減するピーク低減信号を生成し、生成した前記ピーク低減信号を用いて前記ピーク部分が低減されたＯＦＤＭ信号を生成するステップとを備えることを要旨とする。
【発明の効果】
【００１６】
本発明の特徴によれば、ピーク部分の低減の対象となるサブキャリアの位置にかかわらず、ピーク部分を効果的に低減することができるＯＦＤＭ信号送信装置、信号処理チップ及びＯＦＤＭ信号送信方法を提供することができる。
【発明を実施するための最良の形態】
【００１７】
次に、本発明の実施形態について説明する。具体的には、（１）ＯＦＤＭ信号送信装置の機能ブロック構成、（２）ＯＦＤＭ信号送信装置の動作、（３）作用・効果及び（４）その他の実施形態について説明する。
【００１８】
なお、以下の図面の記載において、同一または類似の部分には、同一または類似の符号を付している。ただし、図面は模式的なものであり、各寸法の比率などは現実のものとは異なることに留意すべきである。
【００１９】
したがって、具体的な寸法などは以下の説明を参酌して判断すべきものである。また、図面相互間においても互いの寸法の関係や比率が異なる部分が含まれていることは勿論である。
【００２０】
（１）ＯＦＤＭ信号送信装置の機能ブロック構成
まず、本実施形態に係るＯＦＤＭ信号送信装置１００の機能ブロック構成について説明する。具体的には、（１．１）全体機能ブロック構成、（１．２）ピーク低減用サブキャリア選択部１２０の機能ブロック構成、（１．３）ピーク低減処理部１３０の機能ブロック構成、及び（１．４）ＯＦＤＭ信号出力部１４０の機能ブロック構成について説明する。
【００２１】
（１．１）全体機能ブロック構成
図１は、ＯＦＤＭ信号送信装置１００の全体機能ブロック構成図である。図１に示すように、ＯＦＤＭ信号送信装置１００は、サブキャリア信号生成部１１０、ピーク低減用サブキャリア選択部１２０、ピーク低減処理部１３０及びＯＦＤＭ信号出力部１４０を備える。なお、ＯＦＤＭ信号送信装置１００は、信号処理チップとして提供されてもよい。
【００２２】
サブキャリア信号生成部１１０は、ＯＦＤＭ信号の生成に用いられる複数のサブキャリア（図６参照）を含むサブキャリア信号を生成する。
【００２３】
ピーク低減用サブキャリア選択部１２０は、ＯＦＤＭ信号に含まれ、振幅値が他の部分と比較して高いピーク部分を検出し、検出した結果に基づいてピーク低減に用いるサブキャリアの領域を選択する。ピーク低減用サブキャリア選択部１２０の具体的な機能ブロックについては、後述する。
【００２４】
ピーク低減処理部１３０は、選択されたサブキャリアの領域ごとに、ピーク部分を低減するピーク低減信号を生成する。また、本実施形態では、ピーク低減処理部１３０は、隣接する複数のサブキャリアによって構成されるサブキャリアグループを単位として、ピーク部分が低減されたＯＦＤＭ信号を生成する。
【００２５】
図６は、ＯＦＤＭ信号送信装置１００から出力されるＯＦＤＭ信号（周波数領域）と、サブキャリアグループとの関係の一例を示す。本実施形態では、各サブキャリアグループは、変調方式（ＱＰＳＫや１６ＱＡＭなど）と対応している。
【００２６】
ピーク低減処理部１３０は、制御信号の取扱いなどからサブキャリア単位による処理が実用上難しいため、サブキャリアグループ単位による処理を実行する。ピーク低減処理部１３０の具体的な機能ブロックについては、後述する。
【００２７】
ＯＦＤＭ信号出力部１４０は、ピーク低減処理部１３０によって生成されたピーク低減信号を用いてピーク部分が低減されたＯＦＤＭ信号を生成する。具体的には、ＯＦＤＭ信号出力部１４０は、ピーク低減処理部１３０から出力されたサブキャリア（サブキャリアグループ）ごとの送信情報信号系列（信号系列）に対して逆フーリエ変換（ＩＦＦＴ）を実行することによって、ＯＦＤＭ信号を生成する。ＯＦＤＭ信号出力部１４０は、生成したＯＦＤＭ信号を出力する。
【００２８】
（１．２）ピーク低減用サブキャリア選択部１２０の機能ブロック構成
図２は、ピーク低減用サブキャリア選択部１２０の機能ブロック構成図である。図２に示すように、ピーク低減用サブキャリア選択部１２０は、ＩＦＦＴ部１２１、ピーク検出部１２３、ＦＦＴ部１２５、サブキャリア選択部１２７及び信号系列除去部１２９を備える。
【００２９】
ＩＦＦＴ部１２１は、サブキャリア信号生成部１１０によって生成されたサブキャリア信号を構成するサブキャリアごとの送信情報信号系列に対して逆フーリエ変換を実行することによってＯＦＤＭ信号を生成する。
【００３０】
ピーク検出部１２３は、ＩＦＦＴ部１２１から出力されたＯＦＤＭ信号に含まれるピーク部分を検出する。具体的には、ピーク検出部１２３は、当該ＯＦＤＭ信号に含まれ、振幅値が他の部分と比較して高いピーク部分を検出する。本実施形態において、ピーク検出部１２３は、第１ピーク検出部を構成する。
【００３１】
ＦＦＴ部１２５は、ピーク検出部１２３によって検出されたピーク部分に対して、高速フーリエ変換（ＦＦＴ）を実行する。ＦＦＴ部１２５は、当該ピーク部分に対してＦＦＴを実行することによって、サブキャリアごとのピーク低減信号を生成する。
【００３２】
サブキャリア選択部１２７は、ＦＦＴ部１２５によって生成された前記ピーク低減信号のうち、電力値が所定の閾値を超えるピーク低減信号のサブキャリア位置を選択する。具体的には、サブキャリア選択部１２７は、ＦＦＴ部１２５から出力された複数のピーク低減信号の振幅レベルを比較する。サブキャリア選択部１２７は、振幅レベルが高いピーク低減信号と対応するサブキャリアをピーク低減用サブキャリアとして選択する。
【００３３】
サブキャリア選択部１２７は、予め設定したサブキャリア数を対象として、複数のピーク低減用サブキャリアを選択することもできる。さらに、サブキャリア選択部１２７は、ピーク低減用サブキャリアとして選択したサブキャリアの位置（選択サブキャリア位置情報）をピーク低減処理部１３０（フィルタ部１３７）に通知する。
【００３４】
また、サブキャリア選択部１２７は，選択したサブキャリア位置をＯＦＤＭ信号の受信装置に通知することもできる。さらに、選択したサブキャリア位置を送信側から受信側に通知するのではなく、ＯＦＤＭ信号送信装置１００から受信したＯＦＤＭ信号を構成する各サブキャリア信号の受信レベルに基づいて、当該受信装置においてピーク低減用サブキャリアの位置を検出するようにしてもよい。ピーク低減信号を送信しているピーク低減信号の電力は、データ信号を送信しているサブキャリアの電力より通常著しく小さくなるため、受信側においてピーク低減用サブキャリアの位置を容易に検出することが可能である。
【００３５】
信号系列除去部１２９は、サブキャリア選択部１２７が選択したサブキャリアの信号を除去する。具体的には、信号系列除去部１２９は、サブキャリア選択部１２７によって選択されたサブキャリア（サブキャリアグループ）に割り当てられている送信情報信号系列を除去する。また、信号系列除去部１２９は、除去した送信情報信号系列を別のサブキャリア（後続のサブキャリア）によって送信するように制御する。
【００３６】
（１．３）ピーク低減処理部１３０の機能ブロック構成
図３は、ピーク低減処理部１３０の機能ブロック構成図である。図３に示すように、ピーク低減処理部１３０は、ＩＦＦＴ部１３１、ピーク検出部１３３、ＦＦＴ部１３５、フィルタ部１３７及び信号減算部１３９を備える。ＩＦＦＴ部１３１、ピーク検出部１３３及びＦＦＴ部１３５は、上述したＩＦＦＴ部１２１、ピーク検出部１２３及びＦＦＴ部１２５とほぼ同様の機能を有する。
【００３７】
ＩＦＦＴ部１３１は、サブキャリア、具体的には、サブキャリアごとの送信情報信号系列に対して逆フーリエ変換を実行することによってＯＦＤＭ信号を生成する。
【００３８】
ピーク検出部１３３は、ＩＦＦＴ部１３１から出力されたＯＦＤＭ信号に含まれるピーク部分を検出する。具体的には、ピーク検出部１３３は、当該ＯＦＤＭ信号に含まれ、振幅値が他の部分と比較して高いピーク部分を検出する。本実施形態において、ピーク検出部１３３は、第２ピーク検出部を構成する。
【００３９】
ＦＦＴ部１３５は、ピーク検出部１３３によって検出されたピーク部分に対して、高速フーリエ変換（ＦＦＴ）を実行する。ＦＦＴ部１３５は、当該ピーク部分に対してＦＦＴを実行することによって、サブキャリアごとのピーク低減信号を生成する。
【００４０】
フィルタ部１３７は、ＦＦＴ部１３５によって生成されたピーク低減信号のうち、電力値が所定の閾値を超えるピーク低減信号以外をフィルタリングする。具体的には、フィルタ部１３７は、サブキャリア選択部１２７から通知された選択サブキャリア位置情報に基づいて、ピーク低減信号のうち、サブキャリア選択部１２７で選択されたサブキャリアの領域におけるピーク低減信号以外をフィルタリングする。
【００４１】
図７は、ＯＦＤＭ信号に含まれるピーク部分（図７において円で囲った部分）と、サブキャリアとの関係を示す。具体的には、図７は、複数のサブキャリア（サブキャリア番号＃０〜７）によってＯＦＤＭ信号が構成される例を示す。
【００４２】
当該ＯＦＤＭ信号には、当該ピーク部分の振幅（電力）レベルが大きくなる方向に寄与するサブキャリアと、当該ピーク部分の振幅（電力）レベルが小さくなる方向に寄与するサブキャリアとが含まれる。フィルタ部１３７は、当該ピーク部分の振幅（電力）レベルが大きくなる方向に寄与するサブキャリア（具体的には、サブキャリアグループ）を送信しないようにフィルタリングする。
【００４３】
信号減算部１３９は、ピーク低減用サブキャリア選択部１２０から出力されたサブキャリア信号からフィルタ部１３７の出力信号を減算する。
【００４４】
（１．４）ＯＦＤＭ信号出力部１４０の機能ブロック構成
図４は、ＯＦＤＭ信号出力部１４０の機能ブロック構成図である。図４に示すように、ＯＦＤＭ信号出力部１４０は、ＩＦＦＴ部１４１及びＧＩ付加部１４３を備える。
【００４５】
ＩＦＦＴ部１４１は、ピーク低減処理部１３０から出力されたピーク低減信号（送信情報信号系列）に対して逆フーリエ変換を実行することによってＯＦＤＭ信号を生成する。
【００４６】
ＧＩ付加部１４３は、ガードインターバルを生成し、生成したガードインターバルをＩＦＦＴ部１４１から出力されたＯＦＤＭ信号に付加する。
【００４７】
（２）ＯＦＤＭ信号送信装置の動作
図５は、ＯＦＤＭ信号送信装置１００の動作フローを示す。図５に示すように、ステップＳ１０において、ＯＦＤＭ信号送信装置１００は、ＯＦＤＭ信号の生成に用いられる複数のサブキャリアを含むサブキャリア信号を生成する。
【００４８】
ステップＳ２０において、ＯＦＤＭ信号送信装置１００は、生成したサブキャリア信号を構成するサブキャリアごとの送信情報信号系列に対して逆フーリエ変換を実行する。
【００４９】
ステップＳ３０において、ＯＦＤＭ信号送信装置１００は、サブキャリアごとの送信情報信号系列に対して逆フーリエ変換を実行することによって生成されたＯＦＤＭ信号に含まれるピーク部分を検出する。
【００５０】
ステップＳ４０において、ＯＦＤＭ信号送信装置１００は、検出した当該ピーク部分に対して、高速フーリエ変換（ＦＦＴ）を実行する。
【００５１】
ステップＳ５０において、ＯＦＤＭ信号送信装置１００は、送信情報信号系列の送信に用いられないサブキャリアの領域、つまり、サブキャリアグループを選択する。
【００５２】
具体的には、ＯＦＤＭ信号送信装置１００は、当該ピーク部分に対してＦＦＴを実行することによって生成されたサブキャリアごとのピーク低減信号の振幅レベルを比較する。ＯＦＤＭ信号送信装置１００は、振幅レベルが高いピーク低減信号と対応するサブキャリアをピーク低減用サブキャリアとして選択する。
【００５３】
ステップＳ６０において、ＯＦＤＭ信号送信装置１００は、当該ピーク部分のピーク低減処理を実行する。具体的には、ＯＦＤＭ信号送信装置１００は、選択されたピーク低減信号のうち、電力値が所定の閾値を超えるピーク低減信号以外をフィルタリングする。
【００５４】
ステップＳ７０において、ＯＦＤＭ信号送信装置１００は、ピーク低減信号（送信情報信号系列）に対して逆フーリエ変換を実行することによってＯＦＤＭ信号を生成し、生成したＯＦＤＭ信号を出力する。
【００５５】
（３）作用・効果
ＯＦＤＭ信号送信装置１００によれば、送信情報信号系列の構成によってピーク部分が現れる位置が異なる場合でも、送信情報信号系列の送信に用いないサブキャリアの領域が適宜選択される。さらに、選択されたサブキャリアの領域ごとに、ピーク低減信号を用いてピーク部分が低減されたＯＦＤＭ信号が生成される。
【００５６】
このため、ピーク部分の低減の対象となるサブキャリアの位置にかかわらず、ピーク部分を効果的に低減することができる。
【００５７】
また、本実施形態では、隣接する複数のサブキャリアによって構成されるサブキャリアグループを単位としてピーク低減信号が挿入される。このため、制御信号の取扱いなどからサブキャリア単位による処理が実用上難しい場合でも、確実にピーク部分を低減することができる。
【００５８】
（４）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００５９】
例えば、上述したＯＦＤＭ信号送信装置１００は、以下のように変更してもよい。図８は、本発明の変更例に係るＯＦＤＭ信号送信装置１００Ｖの機能ブロック構成図である。
【００６０】
図８に示すように、ＯＦＤＭ信号送信装置１００Ｖでは、ＯＦＤＭ信号に含まれるピーク部分をさらに効果的に低減するため、複数のピーク低減部が備えられる。具体的には、ＯＦＤＭ信号送信装置１００Ｖは、第１ピーク低減処理部１３０１及び第２ピーク低減処理部１３０２を備える。
【００６１】
第１ピーク低減処理部１３０１及び第２ピーク低減処理部１３０２は、上述したピーク低減処理部１３０と同様の機能を有する。すなわち、ＯＦＤＭ信号送信装置１００Ｖでは、ピーク低減処理部１３０において実行されるピーク低減処理が繰り返し複数回実行される。
【００６２】
なお、ＯＦＤＭ信号送信装置１００Ｖに備えられるピーク低減部の数、つまり、ピーク低減処理の繰り返し回数は、３以上であってもよい。また、複数のピーク低減部を備え、予め設定された繰り返し回数までピーク低減処理を繰り返すようにしてもよい。
【００６３】
さらに、ピーク低減処理後におけるピーク部分の電力が、予め設定した値以下となるまでピーク低減処理を繰り返してもよい。或いは、ピーク低減処理を実行後におけるピーク低減信号と対応するサブキャリア以外のピーク低減信号の振幅レベルが、予め設定した値以下となるまでピーク低減処理を繰り返してもよい。また、ピーク低減処理を繰り返し実行した場合、最後のフィルタリング（フィルタ部１３７によるフィルタリング）については、実行しないようにしてもよい。
【００６４】
また、上述したＯＦＤＭ信号送信装置１００は、さらに以下のように変更してもよい。図９は、本発明の変更例に係るＯＦＤＭ信号出力部１４０Ｖの機能ブロック構成図である。図９に示すように、ＯＦＤＭ信号出力部１４０Ｖでは、ＩＦＦＴ部１４１とＧＩ付加部１４３との間に、クリッピング部１４２が備えられる。
【００６５】
クリッピング部１４２は、ＩＦＦＴ部１４１から出力されたＯＦＤＭ信号のクリッピング処理を実行する。具体的には、クリッピング部１４２は、公知のクリッピング処理方法（例えば、“Effects of clipping and filtering on the performance of OFDM”，IEEE Commun. Lett., vol.2, No.5, pp. 131-133，１９９８年５月）に基づいて、ＩＦＦＴ部１４１から出力されたＯＦＤＭ信号のピーク部分のクリッピング及びフィルタリングを実行する。ピーク低減処理部１３０の後段にクリッピング部１４２を備えることによって、ＯＦＤＭ信号のピーク部分を低減しつつ、ＯＦＤＭ信号に含まれるクリッピング雑音を低減できる。このため、ＯＦＤＭ信号の受信装置における受信特性を向上させることができる。
【００６６】
また、上述した実施形態では、サブキャリアグループ単位による処理が実行されていたが、サブキャリア単位による処理を実行しても勿論構わない。
【００６７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００６８】
【図１】本発明の実施形態に係るＯＦＤＭ信号送信装置１００の全体機能ブロック構成図である。
【図２】本発明の実施形態に係るピーク低減用サブキャリア選択部１２０の機能ブロック構成図である。
【図３】本発明の実施形態に係るピーク低減処理部１３０の機能ブロック構成図である。
【図４】本発明の実施形態に係るＯＦＤＭ信号出力部１４０の機能ブロック構成図である。
【図５】本発明の実施形態に係るＯＦＤＭ信号送信装置１００の動作フローを示す図である。
【図６】本発明の実施形態に係るＯＦＤＭ信号送信装置１００から出力されるＯＦＤＭ信号（周波数領域）と、サブキャリアグループとの関係の一例を示す図である。
【図７】本発明の実施形態に係るＯＦＤＭ信号に含まれるピーク部分と、サブキャリアとの関係を示す図である。
【図８】本発明の変更例に係るＯＦＤＭ信号送信装置１００Ｖの機能ブロック構成図である。
【図９】本発明の変更例に係るＯＦＤＭ信号出力部１４０Ｖの機能ブロック構成図である。
【符号の説明】
【００６９】
１００，１００Ｖ…ＯＦＤＭ信号送信装置、１１０…サブキャリア信号生成部、１２０…ピーク低減用サブキャリア選択部、１２１…ＩＦＦＴ部、１２３…ピーク検出部、１２５…ＦＦＴ部、１２７…サブキャリア選択部、１２９…信号系列除去部、１３０…ピーク低減処理部、１３０１…第１ピーク低減処理部、１３０２…第２ピーク低減処理部、１３１…ＩＦＦＴ部、１３３…ピーク検出部、１３５…ＦＦＴ部、１３７…フィルタ部、１３９…信号減算部、１４０，１４０Ｖ…ＯＦＤＭ信号出力部、１４１…ＩＦＦＴ部、１４２…クリッピング部、１４３…ＧＩ付加部
【図１】
0004976972.tif 000002
【図２】
0004976972.tif 000003
【図３】
0004976972.tif 000004
【図４】
0004976972.tif 000005
【図５】
0004976972.tif 000006
【図６】
0004976972.tif 000007
【図７】
0004976972.tif 000008
【図８】
0004976972.tif 000009
【図９】
0004976972.tif 000010